(57)【特許請求の範囲】
【請求項１】
操作領域部の上で、一方と他方の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御するコンピュータを具備した入力装置のスキャン制御装置において、
前記コンピュータに、
２つの方向に交互にスキャンする手順と、
操作領域部の最初の遮光位置の検出はスキャンする２つの方向のどちらが先かを判断し、先に検出された方向の座標位置を決定する手順と、
続いて、先に検出されなかった方向にスキャンする手順と、
この手順におけるスキャンで座標位置を決定する手順と、
座標位置を決定する前記２つの手順により操作領域部の座標を確定し、遮光位置の座標信号を出力する手順と
を実行させるためのプログラムを具備したことを特徴とする入力装置のスキャン制御装置。
【請求項２】
操作領域部の上で、Ｘ軸とＹ軸の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御するコンピュータを具備した入力装置のスキャン制御装置において、
前記コンピュータに、
Ｘ軸方向とＹ軸方向に交互にスキャンする手順と、
操作領域部の最初の遮光位置の検出はスキャンするＸ軸方向とＹ軸方向のどちらが先かを判断し、先に検出された方向の座標位置を決定する手順と、
この手順においてＹ軸方向のスキャンで先に検出されたときに、検出されなかったＸ軸方向にスキャンする手順と、
この手順におけるＸ軸方向のスキャンで座標位置を決定する手順と、
前記Ｘ軸方向のスキャンで先に検出されたときに、検出されなかったＹ軸方向にスキャンする手順と、
この手順におけるＹ軸方向のスキャンで座標位置を決定する手順と、
座標位置を決定する２つの手順により操作領域部の座標を確定し、遮光位置の座標信号を出力する手順と
を実行させるためのプログラムを具備したことを特徴とする入力装置のスキャン制御装置。
【請求項３】
操作領域部の上で、一方と他方の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御する入力装置のスキャン制御方法において、
２つの方向に交互にスキャンするステップと、
操作領域部の最初の遮光位置の検出はスキャンする２つの方向のどちらが先かを判断し、先に検出された方向の座標位置を決定するステップと、
続いて、先に検出されなかった方向にスキャンするステップと、
このステップにおけるスキャンで座標位置を決定するステップと、
座標位置を決定する前記２つのステップにより操作領域部の座標を確定し、遮光位置の座標信号を出力するステップと
から構成されていることを特徴とする入力装置のスキャン制御方法。
【請求項４】
コンピュータに請求項１乃至３のいずれか１に記載の機能を実現するための入力装置のスキャン制御プログラムを記載した記録媒体。
【発明の詳細な説明】
【技術分野】
【０００１】
本発明は、光学式タッチパネルなどの入力装置におけるタッチ検出の高速化を図った入力装置のスキャン制御方法、その装置及び記録媒体に関するものである。
【背景技術】
【０００２】
従来から図５（ａ）（ｂ）に示すような入力装置１０が知られている（特許文献１）。この入力装置１０は、平たいハウジング１２の周辺部１３におけるスキャン方向がＸ軸方向であるときの相対向する位置にＸ軸発光部１９とＸ軸受光部２０が設けられ、また、周辺部１３におけるスキャン方向がＹ軸方向の相対向する位置にＹ軸発光部２１とＹ軸受光部２２が設けられている。前記周辺部１３より内側の操作領域部１４には、液晶表示パネル１７と透明保護板１８が積層されている。
前記Ｘ軸発光部１９とＹ軸発光部２１は、所定（例えば６．６ｍｍ）間隔でＬＥＤ（ライトエミッティングダイオード）などの発光素子１５が配置され、また、前記Ｘ軸受光部２０とＹ軸受光部２２は、所定（例えば６．６ｍｍ）間隔でＰＴｒ（フォトトランジスタ）などの受光素子１６が配置されている。そして、Ｘ軸発光部１９の発光素子１５とＸ軸受光部２０の受光素子１６がそれぞれ１個ずつ対をなし、同様に、Ｙ軸発光部２１の発光素子１５とＹ軸受光部２２の受光素子１６がそれぞれ１個ずつ対をなして、前記操作領域部１４の上面でやや隙間をもってＸ軸の光線３９とＹ軸の光線３９が直角に交差している。
【０００３】
このような構成において、図４に示すように、まず、Ｘ軸方向側の発光素子１５から受光素子１６へｘ１，ｘ２…ｘｎの順にＸ軸方向にスキャンし、続いてＹ軸方向側の発光素子１５から受光素子１６へｙ１，ｙ２…ｙｎの順にＹ軸方向にスキャンし、以後、交互に繰り返しスキャンする。
この状態において、指、ペンなどの遮光物１１で、例えば、図５の左上のＡ点をタッチすると、ｘ１，ｙ１の座標出力で操作領域部１４の位置情報が得られ、液晶表示パネル１７のＡ点に表示された指示入力の出力が得られる。同様に、図５の右上のＢ点をタッチすると、ｘｎ，ｙ１の座標出力で操作領域部１４の位置情報が得られ、液晶表示パネル１７のＢ点に表示された指示入力の出力が得られる。
【０００４】
従来のタッチ位置の検出は、スキャンがＸ軸方向であるかＹ軸方向であるかのタイミングに拘わらず、最初にＸ軸方向時にスキャンして検出された個所があるかどうかが確認される。確認されると、次にＹ軸方向にスキャンして検出された個所があるかどうかを判断する。このことは、Ｘ軸方向のスキャンで検出された個所がなく、最初にＹ軸方向のスキャンで検出された個所があっても、次のＸ軸方向、Ｙ軸方向の順序でスキャンして検出された個所がある場合にタッチ位置が出力される。
具体的に説明すると、Ｘ軸方向のスキャン時間を１５ｍｓ、Ｙ軸方向のスキャン時間を１０ｍｓとし、図５の左上のＡ点をタッチした場合において、図４に示すタッチＡ２のように、ｘ１のスキャンと完全に一致した時間ｔｘ１にタッチしたものとすると、最初のＸ軸方向とＹ軸方向のスキャンによって検出され、スキャン終了時に座標として確定されてタッチ座標出力が得られる。この結果、座標確定まで最小の２５ｍｓとなる。
ところが、図４に示すタッチＡ１のように、ｘ１のスキャンの直後のｔｘ２にタッチしたものとすると、最初のＸ軸方向とＹ軸方向のスキャンが過ぎて次のＸ軸方向とＹ軸方向のスキャンによって検出され、２回目のＹ軸方向のスキャン終了時に座標として確定されてタッチ座標出力が得られる。この結果、座標確定まで最大の４９ｍｓかかる。
【特許文献１】特開２００４−１２７０７３号公報。
【発明の開示】
【発明が解決しようとする課題】
【０００５】
従来の方法では、タッチする位置が図５の左上では、タッチのタイミングが一致すると、座標確定まで最小の２５ｍｓで済むが、タッチのタイミングがずれると、座標確定まで最大で４９ｍｓかかる。
また、タッチする位置が図５の右上では、タッチのタイミングが一致すると、座標確定まで最小の１１ｍｓで済むが、タッチのタイミングがずれると、座標確定まで最大で３５ｍｓかかる。
本発明が解決しようとする問題点は、以上のように、座標位置の検出が遅れてしまうことにある。
本発明は、座標位置の確定までの時間を可能な限り短縮することを目的とするものである。
【課題を解決するための手段】
【０００６】
本発明の基本原理は、２つの軸方向に交互にスキャンさせ、タッチによりいずれか一方の軸方向の位置が検出されたら、他方の軸方向のスキャンによる位置検出で終了とする、とするものである。
より詳しくは、本発明は、操作領域部１４の上で、一方と他方の２つの軸方向にそれぞれスキャンするように所定間隔で配置した発光素子１５と受光素子１６の間で順次スキャンした光線を互いに交差させ、前記操作領域部１４の目的の位置を遮光物１１で遮光して座標位置を検出するように制御するコンピュータを具備した入力装置のスキャン制御装置において、
前記コンピュータに、
２つの軸方向に交互にスキャンする手順と、
操作領域部の最初のタッチ検出はスキャンする２つの軸方向のどちらが先かを判断し、先に検出された方向の座標位置を決定する手順と、
続いて、先に検出されなかった軸方向にスキャンする手順と、
この手順におけるスキャンで座標位置を決定する手順と、
座標位置を決定する前記２つの手順により操作領域部１４の座標を確定し、タッチ座標信号を出力する手順と
を実行させるためのプログラムを具備したことを特徴とする。
【発明の効果】
【０００７】
請求項１記載の発明によれば、
操作領域部の上で、一方と他方の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御するコンピュータを具備した入力装置のスキャン制御装置において、
前記コンピュータに、
２つの方向に交互にスキャンする手順と、
操作領域部の最初のタッチ検出はスキャンする２つの方向のどちらが先かを判断し、先に検出された方向の座標位置を決定する手順と、
続いて、先に検出されなかった方向にスキャンする手順と、
この手順におけるスキャンで座標位置を決定する手順と、
座標位置を決定する前記２つの手順により操作領域部の座標を確定し、タッチ座標信号を出力する手順と
を実行させるためのプログラムを具備したので、スキャンのタイミングとタッチするタイミングが合わなくても、いずれか一方の軸方向のスキャン時間分だけ短くなり、最初の位置検出までの時間が短縮される。従って、タッチオン時の入力反応が速くなるという効果を有する。
【０００８】
請求項２記載の発明によれば、
操作領域部の上で、Ｘ軸とＹ軸の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御するコンピュータを具備した入力装置のスキャン制御装置において、
前記コンピュータに、
Ｘ軸方向とＹ軸方向に交互にスキャンする手順と、
操作領域部の最初のタッチ検出はスキャンするＸ軸方向とＹ軸方向のどちらが先かを判断し、先に検出された方向の座標位置を決定する手順と、
この手順においてＹ軸方向のスキャンで先に検出されたときに、検出されなかったＸ軸方向にスキャンする手順と、
この手順におけるＸ軸方向のスキャンで座標位置を決定する手順と、
前記Ｘ軸方向のスキャンで先に検出されたときに、検出されなかったＹ軸方向にスキャンする手順と、
この手順におけるＹ軸方向のスキャンで座標位置を決定する手順と、
座標位置を決定する２つの手順により操作領域部の座標を確定し、タッチ座標信号を出力する手順と
を実行させるためのプログラムを具備したので、先にＸ軸方向で検出した時は、次のＹ軸方向の検出で確定し、また、先にＹ軸方向で検出した時は、次のＸ軸方向の検出で確定することができる。
【０００９】
請求項３記載の発明によれば、
操作領域部の上で、一方と他方の２つの方向にそれぞれスキャンするように所定間隔で配置した発光素子と受光素子の間で順次スキャンした光線を互いに交差させ、前記操作領域部の目的の位置を遮光物で遮光して座標位置を検出するように制御する入力装置のスキャン制御方法において、
２つの方向に交互にスキャンするステップと、
操作領域部の最初のタッチ検出はスキャンする２つの方向のどちらが先かを判断し、先に検出された方向の座標位置を決定するステップと、
続いて、先に検出されなかった方向にスキャンするステップと、
このステップにおけるスキャンで座標位置を決定するステップと、
座標位置を決定する前記２つのステップにより操作領域部の座標を確定し、タッチ座標信号を出力するステップと
から構成されているので、タッチオン時の入力反応が速くなるという効果を有する。
【発明を実施するための最良の形態】
【００１０】
本発明は、
操作領域部１４の上で、一方と他方の２つの方向にそれぞれスキャンするように所定間隔で配置した発光素子１５と受光素子１６の間で順次スキャンした光線を互いに交差させ、前記操作領域部１４の目的の位置を遮光物１１で遮光して座標位置を検出するように制御するコンピュータを具備した入力装置のスキャン制御装置において、
前記コンピュータに、
２つの方向に交互にスキャンする手順と、
操作領域部１４の最初のタッチ検出はスキャンする２つの方向のどちらが先かを判断し、先に検出された方向の座標位置を決定する手順と、
続いて、先に検出されなかった方向にスキャンする手順と、
この手順におけるスキャンで座標位置を決定する手順と、
座標位置を決定する前記２つの手順により操作領域部１４の座標を確定し、タッチ座標信号を出力する手順と
を実行させるためのプログラムを具備した構成とする。
【００１１】
より具体的には、本発明は、一方のスキャン方向をＸ軸方向とし、他方のスキャン方向をＹ軸方向とし、
操作領域部１４の上でやや浮かせて、Ｘ軸とＹ軸の２つの方向にそれぞれスキャンするように所定間隔で配置した発光素子１５と受光素子１６の間で順次スキャンした光線を互いに直角に交差させ、前記操作領域部１４の目的の位置を遮光物１１で遮光して座標位置を検出するように制御するコンピュータを具備した入力装置のスキャン制御装置に適用される。
前記コンピュータには、
Ｘ軸方向とＹ軸方向に交互にスキャンする手順と、
操作領域部の最初のタッチ検出はスキャンするＸ軸方向とＹ軸方向のどちらが先かを判断し、先に検出された方向の座標位置を決定する手順と、
この手順においてＹ軸方向のスキャンで先に検出されたときに、検出されなかったＸ軸方向にスキャンする手順と、
この手順におけるＸ軸方向のスキャンで座標位置を決定する手順と、
前記Ｘ軸方向のスキャンで先に検出されたときに、検出されなかったＹ軸方向にスキャンする手順と、
この手順におけるＹ軸方向のスキャンで座標位置を決定する手順と、
座標位置を決定する２つの手順により操作領域部の座標を確定し、タッチ座標信号を出力する手順と
を実行させるためのプログラムを具備して構成される。
【００１２】
本発明は、次の通りの制御方法としても構成される。
操作領域部１４の上で、一方と他方の２つの方向にそれぞれスキャンするように所定間隔で配置した発光素子１５と受光素子１６の間で順次スキャンした光線を互いに交差させ、前記操作領域部１４の目的の位置を遮光物１１で遮光して座標位置を検出するように制御する入力装置のスキャン制御方法において、
２つの方向に交互にスキャンするステップと、
操作領域部１４の最初のタッチ検出はスキャンする２つの方向のどちらが先かを判断し、先に検出された方向の座標位置を決定するステップと、
続いて、先に検出されなかった方向にスキャンするステップと、
このステップにおけるスキャンで座標位置を決定するステップと、
座標位置を決定する前記２つのステップにより操作領域部１４の座標を確定し、タッチ座標信号を出力するステップと
から構成されていることを特徴とする入力装置のスキャン制御方法。
【００１３】
本発明は、さらに、
コンピュータに請求項１乃至３のいずれか１に記載の機能を実現するための入力装置のスキャン制御プログラムを記載した記録媒体として構成される。
【実施例１】
【００１４】
図３において、１０は、入力装置、２３は、コンピュータを構成する制御回路である。この制御回路２３は、前記入力装置１０のスキャンを制御し、タッチ位置を座標として確定し、ホストコンピュータ３６に出力する。
【００１５】
前記入力装置１０は、図５に示した従来の構造と変わるところはない。
すなわち、入力装置１０は、平たいハウジング１２の周辺部１３におけるスキャン方向であるＸ軸方向の相対向する位置にＸ軸発光部１９とＸ軸受光部２０が設けられ、また、周辺部１３におけるスキャン方向であるＹ軸方向の相対向する位置にＹ軸発光部２１とＹ軸受光部２２が設けられている。前記周辺部１３より内側の操作領域部１４には、液晶表示パネル１７と透明保護板１８が積層されている。
前記Ｘ軸発光部１９とＹ軸発光部２１は、所定（例えば６．６ｍｍ）間隔でＬＥＤなどの発光素子１５が配置され、また、前記Ｘ軸受光部２０とＹ軸受光部２２は、所定（例えば６．６ｍｍ）間隔でＰＴｒなどの受光素子１６が配置されている。そして、Ｘ軸発光部１９の発光素子１５とＸ軸受光部２０の受光素子１６がそれぞれ１個ずつ対をなし、同様に、Ｙ軸発光部２１の発光素子１５とＹ軸受光部２２の受光素子１６がそれぞれ１個ずつ対をなして、Ｘ軸の光線３９とＹ軸の光線３９が直角に交差している。
【００１６】
前記制御回路２３は、コンピュータを構成するマイクロプロセッサ２４を主体として包含し、このマイクロプロセッサ２４には、ＣＰＵ２５を中心にして、Ａ／Ｄ変換部２６、Ｄ／Ａ変換部２７、ＲＯＭ２８、ＲＡＭ２９を内蔵している。また、前記制御回路２３には、ドライバ／レシーバ３０、発光用マルチプレクサ３１、受光用マルチプレクサ３２、定電流回路３３、積分回路３４、ＥＥＰＲＯＭ３５を具備ししている。
前記ＣＰＵ２５は、発光用マルチプレクサ３１、定電流回路３３を介して入力装置１０のＸ軸発光部１９とＹ軸発光部２１に接続されるとともに、受光用マルチプレクサ３２を介して入力装置１０のＸ軸受光部２０とＹ軸受光部２２に接続される。前記ドライバ／レシーバ３０は、シリアルＩ／Ｆ３８を介してホストコンピュータ３６に接続され、また、このホストコンピュータ３６は、ＵＳＢＩ／Ｆ３７を介してＣＰＵ２５に接続されている。
【００１７】
次に、本発明による入力装置のスキャン制御方法を説明する。
ＲＯＭ２８に記憶されたプログラムがＣＰＵ２５へ送られ、このＣＰＵ２５から送られてきたスキャニングのための複数のデジタルデータを発光用マルチプレクサ３１で転送し、定電流回路３３を介してＸ軸発光部１９とＹ軸発光部２１の発光素子１５へ入力し、ｘ１，ｘ２，…ｘｎの順でＸ軸方向にスキャンされ、次に、ｙ１，ｙ２，…ｙｎの順でＹ軸方向にスキャンされ、かつ、Ｘ軸方向とＹ軸方向に交互にスキャンされて発光する。発光した光線３９は、対応するＸ軸受光部２０の受光素子１６とＹ軸受光部２２の受光素子１６で順次受光する。
受光した光線３９を電気信号に変換して受光用マルチプレクサ３２を介してＣＰＵ２５に送ると共に積分回路３４に送る。この積分回路３４の出力は、Ａ／Ｄ変換部２６でＡ／Ｄ変換されてＣＰＵ２５へ入力され、操作領域部１４における遮光物１１での指示入力がなく、光線が遮断されない限り、積分回路３４からＣＰＵ２５へ受光信号が送られてくる。
【００１８】
ここで、操作領域部１４における遮光物１１で例えば図３のＡ点をタッチすると、Ｘ軸方向とＹ軸方向のスキャン時にｘ１とｙ１の光線３９が遮断されて、遮断された信号が受光用マルチプレクサ３２を介してＣＰＵ２５へ送られ、Ｘ軸方向とＹ軸方向のスキャン終了と同時に操作領域部１４の座標Ａ（ｘ１，ｙ１）が確定し、ＣＰＵ２５は、指示入力としてのタッチ座標信号を出力する。このＣＰＵ２５の出力は、ＵＳＢＩ／Ｆ３７を介して又はドライバ／レシーバ３０とシリアルＩ／Ｆ３８を介してホストコンピュータ３６に送られる。ホストコンピュータ３６は、現金自動引出し機、その他の機器の表示パネルに表示制御信号を送り、表示や引き出しなどの命令を実行させる。
なお、ＲＡＭ２９は、データの一時的な記憶を行い、また、ＥＥＰＲＯＭ３５は、プログラム内容を消去したり、再書き込みを行ったりするためのものである。
【００１９】
次に、本発明特有の入力装置のスキャン制御方法によりスキャン時間が短縮することの作用を説明する。
本発明の基本原理は、２つの軸方向に交互にスキャンし、いずれか一方の軸方向のスキャン時に位置が検出されたら、他方の軸方向のスキャンによる位置検出で終了とすることにある。より具体的に説明する。
（１）Ｙ軸方向のスキャン時に位置が検出されたら、Ｘ軸方向のスキャンによる位置検出で終了とする手順を図１及び図２（ａ）に基づき説明する。
手順Ａ：Ｘ軸方向とＹ軸方向の２つの軸方向に交互にスキャンする。
手順Ｂ：操作領域部１４の目的位置にタッチする。操作領域部１４のＡ（ｘ１，ｙ１）を図２（ａ）のｔｘ２時にタッチしたものとする。
手順Ｃ：最初のタッチ検出はＸ軸方向のスキャン時かＹ軸方向のスキャン時かどちらか先かを判断する。この図２（ａ）の例では、手順Ｂでタッチした時点で、最初のＸ軸方向のスキャンは、ｘ１をスキャンする時間ｔｘ１が過ぎているので、次のＹ軸方向のスキャンに移行している。このＹ軸方向のスキャン時のｔｙ１時にタッチが継続されている（各軸方向のスキャン時間に比較してタッチ時間は十分に長い）ので、Ｙ軸方向のスキャンによりｙ１が先に検出される。
手順Ｄ：Ｙ軸方向のスキャンでｙ１が先に検出されると、次にＸ軸方向にスキャンする。
手順Ｅ：このＸ軸方向にスキャンしている間にタッチを検出したか？が判断され、ｔｘ１時にｘ１が検出される。
手順Ｆ：Ｘ軸方向のスキャン終了と同時に手順Ｃと手順Ｅにより操作領域部１４の座標Ａ（ｘ１，ｙ１）が確定し、タッチ座標信号を出力する。
この結果、座標確定まで最大３９ｍｓとなり、従来よりも１０ｍｓ短縮される。
【００２０】
（２）Ｘ軸方向のスキャン時に位置が検出されたら、Ｙ軸方向のスキャンによる位置検出で終了とする手順を図１及び図２（ｂ）に基づき説明する。
手順Ａ：Ｘ軸方向とＹ軸方向の２つの軸方向に交互にスキャンする。
手順Ｂ：操作領域部１４の目的位置にタッチする。操作領域部１４のＡ（ｘ１，ｙ１）を図２（ｂ）のｔｙ２時にタッチしたものとする。
手順Ｃ：最初のタッチ検出はＸ軸方向のスキャン時かＹ軸方向のスキャン時かどちらか先かを判断する。この図２（ｂ）の例では、手順Ｂでタッチした時点で、最初のＹ軸方向のスキャンは、ｙ１をスキャンする時間ｔｙ１が過ぎているので、次のＸ軸方向のスキャンに移行している。このＸ軸方向のスキャン時のｔｘ１時にタッチが継続されている（各軸方向のスキャン時間に比較してタッチ時間は十分に長い）ので、Ｘ軸方向のスキャンによりｘ１が先に検出される。
手順Ｇ：Ｘ軸方向のスキャンでｘ１が先に検出されると、次にＹ軸方向にスキャンする。
手順Ｈ：このＹ軸方向のスキャンしている間にタッチを検出したか？が判断され、ｔｙ１時にｙ１が検出される。
手順Ｆ：Ｙ軸方向のスキャン終了と同時に手順Ｃと手順Ｈにより操作領域部１４の座標Ａ（ｘ１，ｙ１）が確定し、タッチ座標信号を出力する。
この結果、座標確定まで最大３４ｍｓとなり、従来よりも１５ｍｓ短縮される。
【００２１】
前記（１）及び（２）の手順は、別々に説明したが、操作領域部１４を遮光物１１でタッチした時の最初のタッチ検出がいずれの軸の時かによって手順Ｃにより手順Ｄ又は手順Ｇが自動的に選択される。
【００２２】
なお、前記（１）及び（２）の手順において、図２（ａ）（ｂ）に示したＸ軸方向のスキャン時のｔｘｎ時にタッチしたものとすると、次のＹ軸のスキャン終了と同時に操作領域部１４の座標Ａ（ｘ１，ｙ１）が確定し、タッチ座標信号を出力する。この結果、座標確定まで最小１１ｍｓとなる。
以上（１）及び（２）の手順のプログラムは、ＲＯＭ２８又はＥＥＰＲＯＭ３５に記憶され、ＣＰＵ２５で実行される。
【００２３】
前記実施例では、操作領域部１４の左上隅の座標Ａ（ｘ１，ｙ１）をタッチした場合について説明したが、他の座標についても同様にしてスキャン時間を短縮することができる。
【実施例２】
【００２４】
前記実施例１では、一方のスキャン方向をＸ軸方向とし、他方のスキャン方向をＹ軸方向とし、かつ、Ｘ軸方向とＹ軸方向のスキャンの光線３９が互いに直角に交差するように構成されている。しかし、これに限られるものではなく、いずれか一方または両方のスキャン方向をＸ軸以外の方向又はＹ軸以外の方向とし、かつ、２つのスキャン方向の光線３９が互いに直角以外の角度で交差するように構成されているものであってもよい。
【図面の簡単な説明】
【００２５】
【図１】本発明による入力装置のスキャン制御方法、その装置及び記録媒体の一実施例を示すフローチャートである。
【図２】（ａ）及び（ｂ）は、それぞれ本発明による入力装置のスキャン制御方法、その装置及び記録媒体の一実施例を示動作波形図である。
【図３】本発明による入力装置のスキャン制御方法、その装置及び記録媒体の一実施例を示すブロック図である。
【図４】従来の入力装置のスキャン制御方法の動作波形図である。
【図５】一般的な入力装置１０を示すもので、（ａ）は、平面図、（ｂ）は、断面図である。
【符号の説明】
【００２６】
１０…入力装置、１１…遮光物、１２…ハウジング、１３…周辺部、１４…操作領域部、１５…発光素子、１６…受光素子、１７…液晶表示パネル、１８…透明保護板、１９…Ｘ軸発光部、２０…Ｘ軸受光部、２１…Ｙ軸発光部、２２…Ｙ軸受光部、２３…制御回路、２４…マイクロプロセッサ、２５…ＣＰＵ、２６…Ａ／Ｄ変換部、２７…Ｄ／Ａ変換部、２８…ＲＯＭ、２９…ＲＡＭ、３０…ドライバ／レシーバ、３１…発光用マルチプレクサ、３２…受光用マルチプレクサ、３３…定電流回路、３４…積分回路、３５…ＥＥＰＲＯＭ、３６…ホストコンピュータ、３７…ＵＳＢＩ／Ｆ、３８…シリアルＩ／Ｆ、３９…光線。
【図１】
0004637927.tif 000002
【図２】
0004637927.tif 000003
【図３】
0004637927.tif 000004
【図４】
0004637927.tif 000005
【図５】
0004637927.tif 000006